【手続補正書】
【提出日】平成16年3月5日(2004.3.5)
【手続補正１】
【補正対象書類名】明細書
【補正対象項目名】特許請求の範囲
【補正方法】変更
【補正の内容】
【特許請求の範囲】
【請求項１】
患者の胃腸管中の自発性カプセルの位置をトラッキングするシステムであって、
自発性カプセルと、
音響変換送信器及び音響変換受信器であり、前記自発性カプセルと患者身体外側の位置との間で、前記音響変換送信器は当該音響変換送信器から前記音響受信器までトラッキング信号を送信すべく構成されていることから成る音響変換送信器及び音響変換送信器と、を備え、
使用中、前記音響変換送信器が前記自発性カプセル及び前記患者身体外側の位置の内の何れか一方に位置決めされ、前記音響変換受信器が前記自発性カプセル及び前記患者身体外側の位置の内の他方に位置決めされていることから成るシステム。
【請求項２】
前記音響受信器が前記音響送信器によって送信された音響信号を典型的な電気的信号に変換するように構成された変換器を含み、
前記システムがプロセッサを更に備えて、前記音響受信器が前記プロセッサと通信するように構成され、前記プロセッサが前記典型的な電気的信号を受信するように構成され、前記プロセッサが、前記典型的な電気的信号から、前記音響送信器から前記音響送信器までの前記トラッキング信号の送信時間を決定するように構成され、前記プロセッサが少なくとも部分的に前記典型的な電気的信号に基づいて前記カプセルの位置を決定するように構成されていることから成る、請求項１に記載のシステム。
【請求項３】
前記プロセッサが３次元空間でのカプセル位置を決定するように構成されている、請求項２に記載のシステム。
【請求項４】
前記プロセッサが腸管の一部の全長に沿っているカプセル位置を決定するように構成されている、請求項２に記載のシステム。
【請求項５】
前記システムが、前記音響信号の送信から所定時間間隔で基準信号を発生するように構成された基準信号発生器と基準信号受信器とを更に備えて、
前記基準信号受信器が前記基準信号を受信して、該基準信号を前記プロセッサへ通信するように構成され、
前記プロセッサが前記基準信号を用いて、前記カプセルと前記患者身体外側の位置との間の前記音響信号の送信時間を決定すると共に、前記カプセルの座標系における位置を決定するように構成されている、請求項２に記載のシステム。
【請求項６】
前記基準信号がＲＦテレメトリ信号である、請求項５に記載のシステム。
【請求項７】
前記基準信号が前記音響信号の発生をトリガーするように構成されたトリガー信号である、請求項５に記載のシステム。
【請求項８】
前記カプセルが、前記腸管の一部内の当該カプセルの位置と隣接する前記腸管の特性を検知するためのセンサを更に含む、請求項１に記載のシステム。
【請求項９】
前記センサが電極を含み、前記特性が前記腸管の電気的パラメータを含んで、該電気的パラメータが：腸壁の電気的インピーダンス；腸壁の少なくとも一部にわたる電気的ポテンシャル；ペースセッター・ポテンシャル；固有スパイク・バースト；誘導ペースセッター・ポテンシャル；或は、誘導スパイク・バーストを含む、請求項８に記載のシステム。
【請求項１０】
前記センサが：圧力センサ；光センサ；ｐＨセンサ；歪みゲージ；収縮力を測定するように構成されたセンサ；温度検知装置；或は、薬物の存在を検知するように構成された化学センサを含む、請求項８に記載のシステム。
【請求項１１】
前記プロセッサが、前記腸管の全長に沿っている前記カプセルの位置を、前記腸管の前記一部の全長に沿っている前記位置での前記センサによって検知された状態と相関させるように構成されている、請求項８に記載のシステム。
【請求項１２】
前記プロセッサと結合されたディスプレイを更に備えて、該ディスプレイが前記腸管の前記一部の全長に沿っている該腸管の検知された状態の診断マップを表示するように構成されている、請求項１１に記載のシステム。
【請求項１３】
前記カプセルが前記センサによって検知された前記特性と対応しているテレメトリ信号を送信するように構成されているテレメトリ装置と、
前記テレメトリ信号を受信するテレメトリ受信器と、
プロセッサであり、前記テレメトリ受信器が当該プロセッサと結合され、当該プロセッサが前記腸管の前記一部以内で前記検知された特性の前記位置を識別するように構成されていることから成るプロセッサと、を更に含む、請求項８に記載のシステム。
【請求項１４】
前記プロセッサが前記腸管の前記一部の長さに沿っている前記検知された特性の前記位置を識別するように構成されている、請求項１３に記載のシステム。
【請求項１５】
第２カプセルを更に備え、該第２カプセルが：
前記腸管に治療を提供する治療装置；
第２音響送信器であり、前記第２カプセルと前記患者身体外側の前記位置との間で、当該第２音響送信器から前記音響受信器までトラッキング信号を送信するように構成された第２音響送信器を含み、
前記第２音響送信器が前記第２カプセルに位置決めされ、前記音響受信器が前記患者身体外側の前記位置に位置決めされている、請求項１４に記載のシステム。
【請求項１６】
前記音響受信器が前記第２音響変換器によって送信された前記音響信号を第２の典型的な電気的信号に変換するように構成されると共に、その第２の典型的な電気的信号を前記プロセッサと通信するように構成され、
前記プロセッサが前記腸管の前記一部の全長に沿っている前記第２カプセルの位置を決定するように構成され、
前記プロセッサが、少なくとも部分的に前記第２の典型的な電気的信号に基づき、前記第２カプセルが前記検知された特性の前記位置にあるときを決定するように構成されている、請求項１５に記載のシステム。
【請求項１７】
前記第２カプセルが前記治療装置と作動的に結合された第２テレメトリ装置を含み、
前記プロセッサが外部テレメトリ送信器を制御して前記第２カプセルへ制御信号を送信させ、該制御信号が前記第２テレメトリ装置によって受信され、前記制御信号が前記治療装置に前記腸管の前記一部の全長に沿っている選択された位置で前記腸管に治療を提供させる、請求項１６に記載のシステム。
【請求項１８】
前記システムが、前記第２カプセルと前記患者身体外側の前記位置との間で、前記音響送信器から送信された第２音響信号を受信するように構成された第２音響受信器を更に備えて、
前記第２音響受信器が前記第２カプセルに位置決めされ、前記音響送信器が前記患者身体外側の前記位置に位置決めされ、
前記第２音響受信器が、前記第２音響信号を第２の典型的な電気的信号に変換するように構成されると共に、前記プロセッサと通信するように構成された変換器を含み、前記プロセッサが前記腸管の前記一部の全長に沿っている前記第２カプセルの前記位置を決定するように構成され、前記プロセッサが前記第２カプセルが少なくとも部分的に前記第２の典型的な電気的信号に基づき前記検知された特性の前記位置にある時を決定するように構成されている、請求項１５に記載のシステム。
【請求項１９】
前記第２カプセルが前記治療装置と作動的に結合された第２テレメトリ装置を含み、
前記プロセッサが外部テレメトリ送信器を制御して前記第２カプセルへ制御信号を送信させ、該制御信号が前記第２テレメトリ装置によって受信され、前記制御信号が前記治療装置に前記腸管の前記一部の全長に沿っている選択された位置で前記腸管に治療を提供させ、
前記選択された位置が前記検知された特性の前記位置である、請求項１８に記載のシステム。
【請求項２０】
前記腸管からサンプルを獲得するサンプリング装置を更に備える、請求項１に記載のシステム。
【請求項２１】
前記カプセルが前記腸管に治療を提供する治療装置を含む、請求項１に記載のシステム。
【請求項２２】
前記治療装置が治療剤デリバリー装置を含む、請求項２１に記載のシステム。
【請求項２３】
前記治療装置が電気的刺激電極を含む、請求項２１に記載のシステム。
【請求項２４】
前記治療装置が位置を識別するためのマーカを含む、請求項２１のシステム。